(57)【特許請求の範囲】
【請求項１】
脚体と、該脚体に支持された天板と、前記脚体に設けられた物品支持部材と、を備える天板付き家具において、
前記脚体を、対向する一対の側壁と、該両側壁の下端同士を連結する下板とを備え、前記天板に連結される天板支持アームを備えるものとし、前記物品支持部材を、物品を支持しうる物品支持部と、該物品支持部から上方に延設される起立部と、該起立部の上端から側方に延設される連結部と、を備えるものとし、前記連結部を、前記天板支持アームに形成した挿通孔を通して前記両側壁の対向面間に位置させて、前記両側壁に固着することによって、前記天板支持アームと前記物品支持部材とを相互に連結したことを特徴とする天板付き家具。
【請求項２】
前記連結部を、前記両側壁の対向面間における、上端部よりも下方の部位に位置させた請求項１に記載の天板付き家具。
【請求項３】
前記下板に、上下方向に開口し、前記起立部、および前記連結部を挿通しうる挿通孔を設けた請求項１または２に記載の天板付き家具。
【請求項４】
前記側壁に、前記側壁の面方向に開口し、前記連結部を挿通しうる挿通孔を設けた請求項１または２に記載の天板付き家具。
【請求項５】
前記物品支持部材を、鋼板を折曲することによって形成し、前記連結部を、前記天板支持アームに溶着した請求項１〜４のいずれか一項に記載の天板付き家具。
【発明の詳細な説明】
【技術分野】
【０００１】
本発明は、脚体と、脚体に支持された天板と、脚体に配設された物品支持部材と、を備える天板付き家具に関する。
【背景技術】
【０００２】
上記分野に属する従来の技術として、特許文献１に開示されている技術が挙げられる。この技術は、例えば、学校で生徒が学習に使用する机に使われるもので、線材を正面視でＬ字状をなすように、尚且つ、平面視でＵ字状をなすように折曲してなる物品支持部材を、脚体における、天板の左右側部を支持する部材（側部支持杆３１２）の上面と天板の下面とにより挟持するという構成である。この技術は、安価な素材に、容易な加工を加えることのみで物品支持部材を大量に生産でき、尚且つ、天板および脚体に対しても複雑な加工を加える必要がないという点で、大きなコスト削減効果を奏する。
【０００３】
しかしながら、物品支持部材は、天板と脚体とによって単に挟持されているのみであるので、天板と脚体との連結強度が劣化すると、がたついてしまう虞がある。
【０００４】
他方、上記分野を含む天板付き家具における、従来の天板支持構造として、特許文献２に開示されている技術が挙げられる。すなわち、鋼板を、対向する一対の側壁を備えるように折曲して形成される天板支持アームによって、天板の下面を支持するという構成である。この技術は、安価な素材に、容易な加工を加えることのみで天板支持アームを大量に生産できるという点で、大きなコスト削減効果を奏する。
【０００５】
しかしながら、特許文献２に開示されている天板支持アームは、長期間の使用に伴って変形することが避けられない。具体的には、下方には閉塞され、上方には開口する形状をなしていることから、両側壁の上部同士の間隔が漸次大となるように変形してしまう。この現象によって、天板と天板支持アームとの間に隙間が生じ、この隙間に紙や衣服が挟まったり、天板を手で持って机を移動させる場合に、天板と天板支持アームとが当接し合って衝突音を発生させたりする。
【０００６】
【特許文献１】登録実用新案第３１１４５８５号公報
【特許文献２】特開平０５−０６８６１９号公報
【発明の概要】
【発明が解決しようとする課題】
【０００７】
本発明は、側壁を備える天板支持アームに、物品支持部材を堅牢に支持し、尚且つ、天板支持アーム自体の剛性も向上させることのできる天板付き家具を提供することを課題とする。
【課題を解決するための手段】
【０００８】
上記課題を解決すべく、本発明の請求項１に記載の発明は、脚体と、該脚体に支持された天板と、前記脚体に、前記天板の左右側方に位置するように設けられた物品支持部材と、を備える天板付き家具において、
前記脚体を、対向する一対の側壁と、該両側壁の下端同士を連結する下板とを備え、前記天板に連結される天板支持アームを備えるものとし、前記物品支持部材を、物品を支持しうる物品支持部と、該物品支持部から上方に延設される起立部と、該起立部から側方に延設される連結部と、を備えるものとし、前記連結部を、前記天板支持アームに形成した挿通孔を通して前記両側壁の対向面間に位置させて、前記両側壁に固着することによって、前記天板支持アームと前記物品支持部材とを相互に連結したことを特徴とする天板付き家具である。
【０００９】
また、請求項２に記載の発明は、請求項１に記載の椅子において、前記連結部を、前記両側壁の対向面間における、上端部よりも下方の部位に位置させたことを特徴とする天板付き家具である。
【００１０】
また、請求項３に記載の発明は、請求項１または２に記載の椅子において、前記下板に、上下方向に開口し、前記起立部、および前記連結部を挿通しうる挿通孔を設けたことを特徴とする天板付き家具である。
【００１１】
また、請求項４に記載の発明は、請求項１または２に記載の椅子において、前記側壁に、前記側壁の面方向に開口し、前記連結部を挿通しうる挿通孔を設けたことを特徴とする。
【００１２】
また、請求項５に記載の発明は、請求項１乃至４のいずれか一項に記載の椅子において、前記物品支持部材を、鋼板を折曲することによって形成し、前記連結部を、前記天板支持アームに溶着したことを特徴とする。
【発明の効果】
【００１３】
本発明の請求項１に記載の発明によれば、物品支持部材の連結部が、天板支持アームの両側壁を連結する役割を果たすので、両側壁の離間が防止される。したがって、長期間の使用を伴っても、両側壁同士の間隔が広がって、天板支持アームの形状が変形することがなくなる。天板と天板支持アームとの間に空間が生じて、紙や衣服を挟んでしまうこと、といった問題の発生を抑えることができる。また、物品支持部材をもって、両側壁同士を連結しているので、天板支持アームに対する物品支持部材の位置も完全に固定される。
【００１４】
また、請求項２に記載の発明によれば、連結部が、両側壁の対向面間における、上端部より下方の部位に位置しているので、連結部が天板支持アームよりも上方に突出して、天板の下面に当接し、天板と天板支持アームとの間に空間を生じてしまうことがなくなる。
【００１５】
また、請求項３に記載の発明によれば、下板に設けられた挿通孔を通して連結部、および起立部を側壁同士の対向面間に挿入するという簡単な方法で、物品支持部材を天板支持アームに支持することができる。また、天板支持アームへの加工は、物品支持部材の大きさに合わせて、下板の一部に挿通孔を設けるという簡単な加工のみであるので、天板支持アームの剛性を損なうこともない。
【００１６】
また、請求項４に記載の発明によれば、側壁に設けられた挿通孔を通して連結部、および起立部を側壁同士の対向面間に挿入するという簡単な方法で、物品支持部材を天板支持アームに支持することができる。また、天板支持アームへの加工は、物品支持部材の大きさに合わせて、側壁の一部に挿通孔を設けるという簡単な加工のみであるので、天板支持アームの剛性を損なうこともない。
【００１７】
また、請求項５に記載の発明によれば、物品支持部材を杆材によって形成する場合に比して、閉塞板と両側壁との接触面積を大きく確保できるようになる。したがって、物品支持部材の位置が安定しないことや、天板と天板支持アームとの間に空間が生じて、紙や衣服を挟んでしまうこと、といった問題の発生を、より確実に抑えることができる。
【発明を実施するための形態】
【００１８】
本発明の天板付き家具の構成を、以下に詳述する机１を例として説明する。
本発明の机１は、図１、および図２に示すように、左右一対の脚体２、２によって天板３の下面における幅方向の両側部における、奥行き方向の両端部を除く範囲を支持することにより、自立させて使用可能となっている。なお、以下の説明において、机１の、使用者から見ての使い勝手に鑑み、天板３の幅方向を「左右方向」、奥行き方向を「前後方向」とし、図１における手前側を「前方」、奥側を「後方」として、左側を「左側方」、右側を「右側方」として説明する。
【００１９】
天板３は、例えば成型合板等の木材の表面に、滑り性を向上させるための塗膜を塗布してなる平板状の部材である。
脚体２、２は、上下方向の支柱４と、支柱４の下端部前面に、ボルト、溶接等の手段により連結されたベース５と、支柱４の上端部前面に、ボルト、溶接等の手段により連結された天板支持アーム６とからなる一対の脚部材４、４からなる。支柱４、４、ベース５、５、そして天板支持アーム６、６は、例えば鉄などの鋼板を、断面視において中空の矩形をなすように折曲加工することによって形成された部材である。なお、図１においては、天板支持アーム６は、左側方のものしか図示されていないが、右側方の支柱４の上端部前面に、左側方の天板支持アーム６と対称をなす形状の天板支持アーム６が連結されている。
【００２０】
左右一対の脚部材４、４の間には、幕板７が設けられている。
この幕板７は、合成樹脂やアルミニウム合金といった、長尺に成型可能な素材から成型された板状の部材であり、脚体２、２同士の間の空間、すなわち、使用者の下肢が位置する空間を、後方から視認できないように遮蔽する役割を持つ。なお、本願発明に直接関係しないため図示は省略するが、幕板７は、図１に示される前向折曲部７ａを支柱４、４の内側面に、図２に示される後向折曲部７ｂを天板３の下面における後端部近傍に、ボルト等の固着手段によって固着されている。
【００２１】
天板支持アーム６、６同士の間には、棚８が設けられている。
この棚８は、合成樹脂、あるいは鋼板によって、下板８ａ、および左右一対の側板８ｂ、８ｂとを備え、少なくとも下方、および左右両側方に閉塞された形状に成型されており、使用者が前方から収容した物品が、内部空間８ｃから脱落することを防止できるようになっている。なお、本願発明に直接関係しないため図示は省略するが、棚８は、側板８ｂ、８ｂの上端部を、図示しないボルト等の固着手段によって、天板３の下面に固着されている。
【００２２】
天板支持アーム６、６には、本願発明における物品支持部材としてのフック９、９が設けられている。
このフック９、９は、後述する構造で、天板支持アーム６、６に固着されるもので、前記天板３の左側方において使用可能となるように配置されており、使用者が、鞄や衣服を支持することが可能となっている。
【００２３】
次に、本願発明の第１実施形態における、フック９、９の、天板支持アーム６、６への固着方法を、図３、および図４を用いて説明する。
なお、天板支持アーム６、６、およびフック９、９の形状は左右で対称をなすため、以下においては、左側方の天板支持アーム６と、フック９との固着方法のみを説明する。
【００２４】
図３、および図４に示すように、天板支持アーム６は、対向面同士が離間する左右一対の側壁６ａ、６ａと、この側壁６ａ、６ａの下端部同士を連結する下板６ｂと、右側に位置する前記側壁６ａの上端部から延設された天板支持板６ｃとを備えるように、一枚の鋼板を折曲加工して形成されている。左側方の側壁６ａの上端部は、再度下方へ折曲されており、左側に位置する側壁６ａの上端部の強度を増強している。そして、下板６ｂの右端部における前後方向所定位置には、上下方向に開口する挿通孔６ｄが穿設されている。
【００２５】
図３、および図４に示すように、フック９は、左側方を向く物品支持部９ａと、この物品支持部９ａの内側端部から上方に起立する起立部９ｂと、この起立部９ｂの上端部を左側方に折曲してなる略水平の連結部９ｃとを備えるように、鋼板を正面視において略Ｌ字状をなすように折曲加工することによって形成されている。物品支持部９ａは、その遊端部が上方を向くように折曲されており、この部位に支持された鞄等の物品が、左側方に落下しないように配慮されている。
【００２６】
フック９は、挿通孔６ｄを通して、起立部９ｂの上半部、および連結部９ｃが側壁６ａ、６ａ同士の対向面間の空間に位置するように設けられている。挿通孔６ｄの開口寸法は、下板６ｂの面積の範囲内であれば任意であるが、フック９の前後方向の長さ、および厚さよりもわずかに大きな程度であることが望ましい。このことによって、フック９を、最初に連結部９ｃの先端を下方から挿通孔６ｄに挿入し、ついでフック９全体を下方に回転させながら、起立部９ｂを挿通孔６ｄへ挿入するという工程で、側壁６ａ、６ａ同士の対向面間の空間に位置させることができるだけでなく、天板支持アーム６の強度が極度に低減されることが防止されている。
【００２７】
連結部９ｃは、側壁６ａ、６ａ同士の対向面同士の離間寸法と等しいか、わずかに小さな左右寸法を有しており、図３に示されるように、脚体２から天板３を取り外して、天板支持アーム６を上方から視認した場合に、側壁６ａ、６ａ同士の対向面間の空間の一部を上方から閉塞するようになっている。
【００２８】
この状態で、公知の溶接手段を用いて、側壁６ａ、６ａと、連結部９ｃの左右両側端部とを溶着すると、側壁６ａ、６ａ同士が連結部９ｃによって連結された状態になる。
このことによって、フック９の天板支持アーム６に対しての位置が完全に固定されるだけでなく、側壁６ａ、６ａ同士も、連結部９ｃによって連結されていることによって、その間隔が広がることが防止されるので、長期間の使用に伴う天板支持アーム６の変形が防止される。
なお、図３には、側壁６ａ、６ａと連結部９ｃとを溶接したことにより生じる盛り上がりＷのうち、右側方のものしか図示していないが、左側方のものは、側壁６ａ、６ａのうち、左側方のものにより遮蔽されている。
【００２９】
上記の作業を行う時点で、天板支持アーム６は、支柱４、およびベース５と一体化されて脚体２の一部としての態様をなしている。そして、フック９と一体化された天板支持アーム６は、天板支持板６ｃに穿設された、図示しないボルト挿通孔を通して、天板３の下面に螺入されるボルトによって、天板３に連結される。こうして、天板３は、一対の脚体２、２によって支持され、脚体２、２と天板３とが、本願発明の天板付き家具に相当する机１の態様をなす。
【００３０】
この状態にあっては、長期間の使用に伴い、側壁６ａ、６ａには、離間しようとする力が加わるが、側壁６ａ、６ａ同士が連結部９ｃによって連結されているので、離間することはない。したがって、天板支持アーム６は変形せず、結果として、天板３と天板支持アーム６との間には空間が生じなくなり、その空間に衣服や物品を挟むこと、あるいは、天板３と天板支持アーム６とが当接し合って衝突音を発生することといった問題が発生しないようになっている。なお、溶接された側壁６ａ、６ａと連結部９ｃの表面に盛り上がりＷが生じるが、連結部９ｃ上面は、側壁６ａ、６ａの上端部よりもわずかに下方に位置するため、溶接により生じる盛り上がりＷは、側壁６ａ、６ａの上端部よりも上方に突出しないようになっている。したがって、盛り上がりＷが天板３の下面に当接した結果として、天板３と天板支持アーム６との間に空間が生じることがなくなり、上記した問題が発生することを、より確実に防止できるようになっている。
【００３１】
次に、本願発明の第２実施形態を、図５、および図６を用いて説明する。
なお、天板３と脚体２、２との連結構造については、第１実施形態と共通であるため、説明を省略する。
【００３２】
第２実施形態における天板支持アーム６´は、第１実施形態と同じく、対向面同士が離間する左右一対の側壁６ａ´、６ａ´と、この側壁６ａ´、６ａ´の下端部同士を連結する下板６ｂ´と、右側方の前記側壁６ａ´の上端部から延設された天板支持板６ｃ´とを備えるように、鋼板を正面視において凹字状をなすように折曲加工して形成されている一方、第１実施形態とは異なり、右側方の前記側壁６ａ´の上部に、左右方向に開口する挿通孔６ｄ´が穿設されている。
【００３３】
第２実施形態におけるフック９´は、第１実施形態と同じく、左側方を向く物品支持部９ａ´と、この物品支持部９ａ´の内側端部から上方に起立する起立部９ｂ´と、この起立部９ｂ´の上端部を左側方に折曲してなる略水平の連結部９ｃ´とを備えるように、鋼板を正面視において略Ｌ字状をなすように折曲加工して形成されている一方、連結部９ｃ´の左右寸法が、側壁６ａ´、６ａ´同士の離間寸法よりも大となっている。
【００３４】
第２実施形態においては、前記フック９´を、挿通孔６ｄ´より、側壁６ａ´、６ａ´同士の対向面間の空間に挿入された連結部９ｃ´を、前記側壁６ａ´、６ａ´のうち、左側方のものに当接させた状態で、第１実施形態と同様に、側壁６ａ´、６ａ´に溶着することによって、天板支持アーム６´、６´に対して固着する。挿通孔６ｄ´の開口寸法は、側壁６ａ´の面積の範囲内であれば任意であるが、フック９´の前後方向の長さ、および厚さよりもわずかに大きな程度であることが望ましい。このことによって、天板支持アーム６´の強度が、極度に低減されることが防止されている。
なお、図５には、側壁６ａ´、６ａ´と連結部９ｃとを溶接したことにより生じる盛り上がりＷ´のうち、右側方のものしか図示されていないが、左側方のものは、側壁６ａ´、６ａ´のうち、左側方のものにより遮蔽されている。
【００３５】
この第２実施形態により奏しうる効果は、第１実施形態とほぼ同じであるが、第１実施形態に比し、フック９´を回転させる必要がなくなるので、フック９´の天板支持アーム６´に対しての位置決めをより行いやすいという点、および挿通孔６ｄ´の開口寸法を小さくでき、天板支持アーム６´の強度を損なわないという点で、大きなメリットがある。
【００３６】
以上にわたって説明したように、本願発明における天板付き家具においては、脚体２を、対向する一対の側壁６ａ、６ａを備え、天板３に連結される天板支持アーム６を備えるものとし、物品支持部材としてのフック９を、物品を支持しうる物品支持部９ａと、物品支持部９ａから上方に延設され、両側壁６ａ、６ａ、の対向面間で起立する起立部９ｂと、起立部９ｂから側方に延設され、両側壁６ａ、６ａの対向面間の空間を閉塞する連結部９ｃと、を備えるものとし、物品支持部材としてのフック９と天板支持アーム６とを、連結部９ｃを、両側壁６ａ、６ａに固着することによって、相互に連結しているので、物品支持部材としての前記フック９の連結部９ｃが、天板支持アーム６の両側壁６ａ、６ａを連結する役割を果たすので、両側壁６ａ、６ａの離間が防止される。したがって、長期間の使用を伴っても、両側壁６ａ、６ａ同士の間隔が広がって、天板支持アーム６の形状が変形することがなくなる。このことによって、物品支持部材としてのフック９の位置が安定しないことや、天板３の下面と天板支持アーム６との間に空間が生じて、紙や衣服を挟んでしまうこと、といった問題の発生を抑えることができる。
【００３７】
また、連結部９ｃを、両側壁６ａ、６ａの対向面間における、上端部よりも下方の部位に位置させているので、連結部９ｃが天板支持アーム６よりも上方に突出して、天板３の下面に当接し、天板３と天板支持アーム６との間に空間を生じてしまうことがなくなる。
【００３８】
また、天板支持アーム６における下板６ｂに、上下方向に開口し、物品支持部材としてのフック９を挿通しうる挿通孔６ｄを設けているので、下板６ｂに設けられた挿通孔６ｄを通して連結部９ｃ、および起立部９ｂを側壁６ａ、６ａ同士の対向面間に挿入するという簡単な方法で、物品支持部材としてのフック９を天板支持アーム６に支持することができる。また、天板支持アーム６への加工は、物品支持部材としてのフック９の大きさに合わせて、下板６ｂの一部に挿通孔６ｄを設けるという簡単な加工のみであるので、天板支持アーム６の剛性を極度に低減させることがない。
【００３９】
また、第２実施形態においては、天板支持アーム６´における側壁６ａ´、６ａ´に、側壁６ａ´、６ａ´の面方向に開口し、物品支持部材としてのフック９´を挿通しうる挿通孔６ｄ´を設けているので、側壁６ａ´に設けられた挿通孔６ｄ´を通して連結部９ｃ´を側壁６ａ´、６ａ´同士の対向面間に挿入するという簡単な方法で、物品支持部材としてのフック９´を天板支持アーム６´に支持することができる。また、天板支持アーム６´への加工は、物品支持部材としてのフック９´の大きさに合わせて、側壁６ａ´、６ａ´の一部に挿通孔を設けるという簡単な加工のみであるので、天板支持アーム６´の剛性を極度に低減させることがない。
【００４０】
また、物品支持部材を、鋼板を折曲することによって形成し、連結部９ｃを、天板支持アーム６に溶着しているので、閉塞板９ｃと両側壁６ａ、６ａとの接触面積を大きく確保できるようになる。したがって、物品支持部材の位置が安定しないことや、天板３と天板支持アーム６との間に空間が生じて、紙や衣服を挟んでしまうことといった問題の発生を、より確実に抑えることができる。
【００４１】
なお、以上に説明した実施形態では、天板付き家具を、一対の脚体２、２によって天板３を支持してなる机１、物品支持部材を、鋼板を折曲加工して形成してなるフック９、またはフック９´として説明したが、特許請求の範囲を逸脱しない範囲であれば、適宜異なる態様での実施が可能である。
【００４２】
例えば、脚体２は、一対設けられているが、天板が小さな円形状、または楕円形状であれば、天板の中央を一本の脚体のみで支持してもよい。また、天板が左右方向に大きければ、天板の左右両側部を２本の脚柱により、左右方向中央部を１本の脚柱により、合計３本で天板を支持してもよい。
【００４３】
また、物品支持部材は、鞄や衣服等の支持部材であると同時に、天板支持アームの側板同士を連結する部材でもあるため、実施形態のように左右両側方の天板支持アームに対して設けられているのが望ましいが、片方の天板支持アームに対してのみ設けられていてもよい。
【００４４】
また、物品支持部材は、鋼板を折曲加工してなるフック９、またはフック９´であるが、天板支持アームの側壁同士を連結しうる長さを有するものであれば、鋼板以外のものから形成してもよい。例えば、特許文献１に開示されているような、線材を正面視でＬ字状をなすように、尚且つ、平面視でＵ字状をなすように折曲してなる物品支持部材の基端部の長さを、天板支持アームの側壁同士を連結しうる長さとして、連結部としてもよい。このような構成とすれば、物品支持部材と天板支持アームとの接触面積は小となるが、物品支持部材を軽量化できることと、挿通孔を、前後方向に大きな一つの孔ではなく、線材を挿通させるだけの小さな孔を前後方向に離間させて２つ設ければよくなるので、天板支持アームの強度を損なわないこと、という２つの効果を奏しうる。
【００４５】
また、物品支持部材としてのフック９、およびフック９´において、起立部９ｂ、および９ｂ´は、物品支持部９ａ、および９ａ´から、略垂直に起立し、その上半部が天板支持アーム６の内部に位置しているが、物品支持部と起立部とが、弧形状をなすように連続していてもよい。
【図面の簡単な説明】
【００４６】
【図１】本願発明の天板付き家具をを示す左前方からの斜視図である。
【図２】本願発明の天板付き家具をを示す左後方からの斜視図である。
【図３】本願発明の天板付き家具における要部を示す左前方からの斜視図である。
【図４】本願発明の天板付き家具における要部を示す断面図である。
【図５】本願発明の天板付き家具の第２実施形態における要部を示す左前方からの斜視図である。
【図６】本願発明の天板付き家具の第２実施形態における要部を示す断面図である。
【符号の説明】
【００４７】
１      机
２      脚体
３      天板
４      支柱
５      ベース脚
６      天板支持アーム
６´    天板支持アーム
６ａ    側板
６ｂ    下板
６ｃ    天板支持板
６ｄ    挿通孔
６ａ´  側板
６ｂ´  下板
６ｃ´  天板支持板
６ｄ´  挿通孔
７      幕板
７ａ    前方折曲部
７ｂ    後方折曲部
８      棚
８ａ    下板
８ｂ    側板
８ｃ    内部空間
９      フック
９ａ    物品支持部
９ｂ    起立部
９ｃ    連結部
９ａ´  物品支持部
９ｂ´  起立部
９ｃ´  連結部
Ｗ      溶接による盛り上がり
Ｗ´    溶接による盛り上がり
【図１】
0005677037.tif 000002
【図２】
0005677037.tif 000003
【図３】
0005677037.tif 000004
【図４】
0005677037.tif 000005
【図５】
0005677037.tif 000006
【図６】
0005677037.tif 000007